(57)【特許請求の範囲】
【請求項１】
浴室出入口用建具の開口部枠を構成する少なくとも一つの縦枠に対し、
前記開口部枠を構成する下枠の上方に配置されるスロープ部材が着脱可能に固定され、
前記下枠の上面部の脱衣室側の端部に壁部が立設されると共に、
前記上面部の前記壁部よりも浴室側はフラットな面で構成され、
前記スロープ部材には、前記スロープ部材と前記下枠との間の空間を浴室側と脱衣室側の二つの空間に区画するための止水部が設けられ、
前記止水部は、浴室側から脱衣室側へ向けて高くなるように傾いた状態で前記スロープ部材に設けられた板状部材であり、
前記板状部材の下端部は、前記下枠の上面部に接触しており、
前記止水部は、浴室側の空間から脱衣室側の空間へ移動する水の流れを堰き止める一方で、
前記脱衣室側の空間から前記浴室側の空間へ移動する水の流れにより、前記板状部材が前記下枠の前記上面部から離れ、水の流れを許容する、
浴室出入口用建具のスロープ部材の固定構造。
【請求項２】
前記スロープ部材の長手方向の少なくとも一側の端部に、固定部材を設け、
前記縦枠には、前記固定部材と係合するための縦枠側固定部材が設けられる、
請求項１に記載の浴室出入口用建具のスロープ部材の固定構造。
【請求項３】
前記スロープ部材は、前記下枠及び浴室の床部の上方に亘って配置されており、
前記スロープ部材には、前記スロープ部材を前記下枠の前記上面部に支持させるための支持部が設けられ、
前記スロープ部材と、前記浴室の前記床部との間には、空隙が設けられている、
請求項１又は請求項２に記載の浴室出入口用建具のスロープ部材の固定構造。
【請求項４】
請求項１乃至請求項３のいずれか一項に記載の浴室出入口用建具のスロープ部材の固定構造を備える浴室。
【発明の詳細な説明】
【技術分野】
【０００１】
本発明は、浴室の出入口に配置される浴室出入口用建具に関するものであり、より詳しくは、戸体によって開閉される開口部を形成する建具枠の構成に関するものである。
【背景技術】
【０００２】
従来、浴室出入口に設けられる浴室出入口用建具において、脱衣室などの浴室の外部空間の床面と、浴室の内部空間の床面の高さを同一のレベルに設定することで、いわゆる、バリアフリーを実現する構成とするものが知られており、関連する技術も公開されている（特許文献１参照。）。
【０００３】
特許文献１では、傾斜面を有するスロープ部材（スロープ用アタッチメント）を建具枠の下枠に取り付ける構成が開示されている。また、下枠のフラットな上面部には、アタッチメント取付部材が設けられており、このアタッチメント取付部材に対してスロープ部材が係合して取り付けられる構成としている。
【先行技術文献】
【特許文献】
【０００４】
【特許文献１】特許第４２３６６１６号明細書
【発明の概要】
【発明が解決しようとする課題】
【０００５】
しかし、スロープ部材を固定するために、下枠と別の部品（アタッチメント取付部材）を設ける構成とすると、下枠の上面部に凹凸部分が形成されることになる。特許文献１の場合では、下枠の上面部に突出物であるアタッチメント取付部材が存在することになる。
【０００６】
このような構成であると、スロープ部材の下方の空間を掃除する場合において、下枠の上面部を掃除する際には、突出物が邪魔になることが懸念される。具体的には、上面部の拭き掃除をする際には、突出物を避けながら作業をすることが想定され、また、突出物の周囲をなぞるような作業も想定されることになる。このため、上面部をサッと拭き取る（一方向に拭き取る）といった作業形態は想定できず、作業性の改善が望まれるものである。
【０００７】
また、突出物の周辺には、浴室に特有な問題である毛髪や洗剤の残留が懸念され、これらの残留に伴うカビの発生なども懸念される。そして、シャワーで残留毛髪やカビを流そうとしても、突出物に引っかかったままとなってしまうことが想定され、この場合には、ブラシなどを用いて擦り取る作業が必要となってしまう。このような観点からも、従来構成では、作業性の改善が望まれるものである。
【０００８】
そこで、本発明は、以上の問題に鑑み、従来課題であった浴室出入口用建具の下枠の部位において、掃除の作業性の改善を実現するための新規な技術を提案するものである。
【課題を解決するための手段】
【０００９】
本発明の解決しようとする課題は以上の如くであり、次にこの課題を解決するための手段を説明する。
【００１０】
即ち、請求項１に記載のごとく、浴室出入口用建具の開口部枠を構成する少なくとも一つの縦枠に対し、前記開口部枠を構成する下枠の上方に配置されるスロープ部材が着脱可能に固定され、前記下枠の上面部の脱衣室側の端部に壁部が立設されると共に、前記上面部の前記壁部よりも浴室側はフラットな面で構成され、前記スロープ部材には、前記スロープ部材と前記下枠との間の空間を浴室側と脱衣室側の二つの空間に区画するための止水部が設けられ、前記止水部は、浴室側から脱衣室側へ向けて高くなるように傾いた状態で前記スロープ部材に設けられた板状部材であり、前記板状部材の下端部は、前記下枠の上面部に接触しており、前記止水部は、浴室側の空間から脱衣室側の空間へ移動する水の流れを堰き止める一方で、脱衣室側の空間から浴室側の空間へ移動する水の流れにより、前記板状部材が前記下枠の前記上面部から離れ、水の流れを許容する、浴室出入口用建具のスロープ部材の固定構造とする。
【００１１】
また、請求項２に記載のごとく、前記スロープ部材の長手方向の少なくとも一側の端部に、固定部材を設け、前記縦枠には、前記固定部材と係合するための縦枠側固定部材が設けられる、こととする。
【００１３】
また、請求項３に記載のごとく、前記スロープ部材は、前記下枠及び浴室の床部の上方に亘って配置されており、前記スロープ部材には、前記スロープ部材を前記下枠の前記上面部に支持させるための支持部が設けられ、前記スロープ部材と、前記浴室の前記床部との間には、空隙が設けられている、こととする。
【００１４】
また、請求項４に記載のごとく、請求項１乃至請求項３のいずれか一項に記載の浴室出入口用建具のスロープ部材の固定構造を備える浴室とする。
【発明の効果】
【００２１】
本発明の効果として、以下に示すような効果を奏する。
【００２２】
また、請求項１に記載の発明においては、下枠の上面部を、フラットな面で構成することが可能となり、下枠の上面部についての掃除の作業性に優れた構成を実現することが可能となる。また、スロープ部材の下方において、浴室側の空間から脱衣室側の空間への水を止水する止水性能の確保と、脱衣室側の空間から浴室側の空間への水の排水性能の確保、といった二つの性能を両立することができることになる。そして、これにより、浴室床部と脱衣室床面部の高低差をより少なくすることが可能となって、より段差の小さいバリアフリーの性能に優れた浴室開口部（浴室出入り口）を実現することが可能となる。
【００２３】
また、請求項２に記載の発明においては、
固定部材の部位における固定／固定解除を行うことで、スロープ部材の着脱を行うことが可能となる。
【００２６】
また、請求項３に記載の発明においては、スロープ部材が踏みつけられた際において、スロープ部材が撓んでしまうことを防止することができる。
【００２７】
また、請求項４に記載の発明においては、下枠の上面部を、フラットな面で構成することが可能となり、下枠の上面部についての掃除の作業性に優れた構成を実現することが可能となる。
【図面の簡単な説明】
【００３３】
【図１】本発明が適用される建具の例である浴室出入口用建具の正面図。
【図２】本発明が適用される建具の例である浴室出入口用建具の縦断面図。
【図３】本発明が適用される建具の例である浴室出入口用建具の水平断面図。
【図４】下枠の部位の詳細構造について示す斜視図。
【図５】スロープ部材の固定の形態について説明する図。
【図６】（ａ）はスロープ部材の一側端部に取付けられる固定部材の構成などについて示す斜視図。（ｂ）はスロープ部材の他側端部に取付けられる固定部材の構成などについて示す斜視図。
【図７】（ａ）は固定部材が脱着される際の状況について説明する図。（ｂ）は固定部材の固定解除状態／固定状態について示す図。（ｃ）は固定部材が固定されている状況について説明する図。
【図８】縦枠側に固定される固定部材の嵌着部に関する構成について示す図。
【図９】（ａ）はスロープ部材の下部の構成について示す断面図。（ｂ）は止水部によって水の浸入を堰き止められる状況について示す図。（ｃ）は止水部が跳ね上がり水が排水される状況について示す図。
【図１０】スロープ部材に設けられる止水部と支持部の構成について説明する図。
【発明を実施するための形態】
【００３４】
以下図面を参照しながら本発明の実施形態について説明する。
なお、説明中において、図面を参照する際の便宜のため、紙面右側を「右」、紙面左側を「左」、紙面上側を「上」、紙面下側を「下」とするが、これらの位置を特定するための用語は、具体的な実施構造を限定するためのものではない。
【００３５】
図１は、本発明が適用される建具の例である浴室出入口用建具１の正面図である。
この浴室出入口用建具１においては、片引戸形式でスライドする戸体２と、戸体２の戸袋部を構成する固定面材３を有する。また、上枠９１、下枠９２、及び、左右の縦枠９３・９４によって四方枠状の建具枠９０が構成され、この建具枠９０内に戸体２と固定面材３が納められる。また、上枠９１、下枠９２の長手方向中途部において、上下方向に縦枠９５が立設され、この縦枠９５と右側の縦枠９３の間に固定面材３が納められる。また、縦枠９５と左側の縦枠９４の間に開口部４が形成され、この開口部４が戸体２によって開閉される構成としている。また、この構成により、上枠９１、下枠９２、縦枠９４・９５によって開口部枠４Ａが構成されることとしている。また、縦枠９５は、方立とも称され得るものである。
【００３６】
図２は、本発明が適用される建具の例である浴室出入口用建具１の縦断面図である。
戸体２の上部は、吊具５を介して上枠９１に対して吊下げられている。吊具５は、上枠９１に対して相対移動可能に構成されている。また、戸体２の下部に設けた被ガイド部２ａが、下枠９２に形設されたガイド溝部９２ａによってガイドされる構成としている。このようにして、戸体２が、いわゆる上吊り引戸として構成されている。
【００３７】
図３は、本発明が適用される建具の例である浴室出入口用建具１の水平断面図である。
縦枠９４・９５の間に形成される開口部４は、戸体２の開閉により開放、閉鎖される構成としている。この戸体２の開閉の際には、戸体２の両面に設けた引手２１ａ・２１ｂを利用できる構成となっている。
【００３８】
図４は、下枠９２の部位の詳細構造について示す斜視図である。
下枠９２は、浴室床部８と戸体２の間の隙間を埋める上面部９２ｂを有しており、この上面部９２ｂの上にスロープ部材６が設置される。このスロープ部材６は、浴室床部８側から戸体２に向けて高くなる傾斜を有する板面部６０を有しており、この板面部６０によって浴室床部８と脱衣室床面部７との間の段差の問題を解消する、いわゆるバリアフリーの構造が実現される。
【００３９】
また、図４に示すごとく、下枠９２の上面部９２ｂは、スロープ部材６を固定させるための凹凸部分が存在しないフラットな面で構成されている。これにより、図５に示すごとく、スロープ部材６を取り外した際には、凹凸部分が存在しないフラットな上面部９２ｂが現れることになり、この上面部９２ｂの掃除を容易に行うことが可能となる。つまり、仮に、上面部９２ｂに凹凸部分が存在する場合には、例えば、上面部９２ｂの拭き掃除をする際には、突出物を避けながら作業をすることが想定され、また、突出物の周囲をなぞるような作業も想定されることになるが、本実施形態によれば、上面部９２ｂをサッと拭き取る（一方向に拭き取る）といった作業形態も可能となるのである。また、仮に、上面部９２ｂに凹凸部分が存在する場合には、凹凸部分の周辺には、浴室に特有な問題である毛髪や洗剤の残留が懸念され、これらの残留に伴うカビの発生なども懸念されるが、本実施形態によれば、凹凸部分が存在しないため、シャワーで残留毛髪やカビを流すといったことが可能となるのである。このように、本実施形態によれば、下枠９２の上面部９２ｂの掃除を容易に行うことが可能となるのである。
【００４０】
また、図４に示すごとく、下枠９２において、上面部９２ｂの脱衣室側の端部の位置には、壁部９２ｃが立設されている。この壁部９２ｃは、浴室床部８よりも高い位置まで立ち上げられるとともに、その上部には、スロープ部材６の脱衣室側の端部に形成される係合部６１と係合する係合部９２ｄが形成されている。この係合部９２ｄにスロープ部材６の係合部６１を係合させることによって、スロープ部材６の固定の際の位置決めや、スロープ部材６の固定後の撓みの抑制が可能となっている。
【００４１】
また、図５に示すごとく、スロープ部材６の長手方向の各端部６４・６５は、開口部枠４Ａの縦枠９４・９５に対し、それぞれ着脱可能に固定されるようになっている。このように、スロープ部材６を開口部枠４Ａの縦枠９４・９５に対して着脱可能に固定する構成とすることで、スロープ部材６の下方に配置される下枠９２の上面部９２ｂが、凹凸部分の存在しないフラットな面で構成されることが可能となる。
【００４２】
本実施形態では、図５に示すごとく、スロープ部材６の長手方向の各端部６４・６５に、それぞれ固定部材７４・７５を設けるとともに、縦枠９４・９５の下部に、それぞれ縦枠側固定部材８４・８５を設け、スロープ部材６の各固定部材７４・７５を縦枠９４・９５の各縦枠側固定部材８４・８５にそれぞれ係合させることで、スロープ部材６が縦枠９４・９５に対して固定される構成としている。
【００４３】
図６（ａ）は、スロープ部材の一側端部に設けられる固定部材７４と縦枠側固定部材８４について、図６（ｂ）は、スロープ部材の他側端部に設けられる固定部材７５と縦枠側固定部材８５について、示すものである。
まず、図６（ａ）に示すごとく、固定部材７４は、図示せぬ板状のスロープ部材の端部に嵌着されるベース部７４ａと、ベース部７４ａから上方に立ち上がる摘み部７４ｂとを有する構成としている。このような固定部材７４は、例えば、可撓性を有する樹脂成形品で構成することができる。また、摘み部７４ｂにおいて、縦枠９４に固定される縦枠側固定部材８４の側の部位には、この縦枠側固定部材８４と係合するための係合凸部７４ｃが設けられている。また、摘み部７４ｂには、空隙部７４ｄが設けられ、手指の力を加えて摘み部７４ｂを摘むことにより、空隙部７４ｄがすぼむようにして撓み、係合凸部７４ｃの位置をずらすことができるように構成されている。また、摘み部７４ｂの側部には、手指の力を加える位置を判り良くするために、押圧突起部７４ｅが設けられている。なお、図６（ｂ）に示す固定部材７５は、図６（ａ）に示す固定部材７４といわゆる左右対称に構成されるものであり、説明を省略する。
【００４４】
また、図６（ａ）に示すごとく、縦枠側固定部材８４は、縦枠９４に嵌着固定されるベース部８４ａと、ベース部８４ａの表面（反縦枠側の面）に突設される係合部８４ｂとを有する構成としている。このような縦枠側固定部材８４は、例えば、樹脂成形品で構成することができる。また、係合部８４ｂは、上下に配置される山部８４ｃ・８４ｄと、山部８４ｃ・８４ｄの間に配置される谷部８４ｅを有し、略Ｍ字を横にしたような輪郭形状をなすこととしている。
【００４５】
また、図６（ｂ）に示すごとく、ベース部８５ａの裏面には、縦枠９５の嵌着部９５ａに嵌着固定されるための嵌着部８５ｇが設けられている。また、ベース部８５ａの裏面には、例えば、両面テープにて構成される固着用部材８５ｈが貼付されており、この固着用部材８５ｈによってベース部８５ａが縦枠９５の表面に対して固着されるようになっている。なお、図６（ａ）（ｂ）に示す縦枠側固定部材８４・８５と同一に構成されるものである。
【００４６】
また、図７（ａ）は、固定部材７４において、摘み部７４ｂの押圧突起部７４ｅが押圧され、係合凸部７４ｃの位置がずらされた状態を示している。この状態では、係合凸部７４ｃが縦枠側固定部材８４の谷部８４ｅから外れた位置となって、図７（ｂ）に示すように、固定部材７４と縦枠側固定部材８４（図７（ａ））との固定が解除された位置状態Ａとすることが可能となる。
【００４７】
また、図７（ｃ）は、固定部材７４において、摘み部７４ｂの押圧突起部７４ｅが押圧されず、係合凸部７４ｃが規定の位置に配置された状態を示している。この状態では、係合凸部７４ｃが縦枠側固定部材８４の谷部８４ｅに挿入された状態となって、山部８４ｃ・８４ｄによって係合凸部７４ｃの上下方向の移動が規制された状態となり、図７（ｂ）に示すごとく、固定部材７４が縦枠側固定部材８４（図７（ｃ））に固定された位置状態Ｂを維持することが可能となる。
【００４８】
また、図５に示すごとく、縦枠側固定部材８４・８５は同一の構成とするものであるが、図７（ａ）に示すごとく、縦枠への嵌着に際しては、その係合部８４ｂが浴室側となるように配置される必要がある。このため、図８に示すごとく、縦枠９４（９５）に形設する嵌着部９４ａ（９５ａ）は、脱衣室側を円弧状部９４ｘ、浴室側を上下直線状部９４ｙとする開口形状とするとともに、縦枠側固定部材８４（８５）の裏面に設けられる嵌着部８４ｇについても、脱衣室側に円弧状の輪郭を有する脱衣室側嵌入部８４ｘと、浴室側に上下直線状の輪郭を有する浴室側嵌入部８４ｙを有する構成としている。
【００４９】
この構成により、図８に示すごとく、浴室側に係合部８４ｂが配置される場合にのみ、嵌着部８４ｇを嵌着部９４ａへ挿入することが可能となり、施工現場における縦枠側固定部材８４の誤った取付けを防止することができる。なお、嵌着部８４ｇには、脱衣室側嵌入部８４ｘと、浴室側嵌入部８４ｙのほかにも、嵌着部９４ａの裏側周面に係合する抜け止め嵌入部８４ｖ・８４ｗが設けられており、縦枠側固定部材８４の取付け後における脱落が防止される構成としている。
【００５０】
また、図９（ａ）に示すごとく、スロープ部材６の脱衣室側の端部には係合部６１が設けられ、この係合部６１が下枠９２の壁部９２ｃの係合部９２ｄに乗り掛かるようにして支持されることで、スロープ部材６の板面部６０に浴室側が低くなる勾配が形成されるようになっている。また、このようなスロープ部材６の構成により、スロープ部材６と下枠９２の上面部９２ｂの間に空間１０が形成される。
【００５１】
また、図９（ｂ）（ｃ）に示すごとく、スロープ部材６には、下枠９２の上面部９２ｂに向けて突出する止水部６２が設けられている。この止水部６２は、空間１０を浴室側と脱衣室側の二つの空間１０Ａ・１０Ｂに区画するとともに、浴室側の空間１０Ａから脱衣室側の空間１０Ｂへ移動する水の流れを堰き止める一方で、脱衣室側の空間１０Ｂから浴室側の空間１０Ａへ移動する水の流れを許容する構成とするものである。
【００５２】
また、図９（ｂ）（ｃ）に示すごとく、本実施形態の止水部６２は、スロープ部材６の下面に設けた溝部６３に嵌着される板状部材６２ａにて構成される。この板状部材６２ａは、可撓性を有する樹脂成形品から構成され、浴室側から脱衣室側へ向けて高くなるように傾いた状態で、スロープ部材６から垂れ下げられるように設けられる。また、板状部材６２ａの下端部６２ｂは、下枠９２の上面部９２ｂに接触するように配置される。また、図１０に示すごとく、板状部材６２ａは、スロープ部材６の長手方向寸法（スロープ部材６の長さ寸法）と略同一の寸法を有する長尺の部材にて構成される。
【００５３】
そして、図９（ｂ）に示すごとく、浴室側の空間１０Ａから脱衣室側の空間１０Ｂへ向かう方向Ｆ１に水Ｗが浸入した際には、板状部材６２ａの浴室側に水Ｗが押し当てられることになるが、この際には、板状部材６２ａが撓むとともに、その下端部６２ｂが下枠９２の上面部９２ｂに圧着することで、水Ｗの流れが板状部材６２ａによって堰き止められることになる。これにより、水Ｗの浸入を、下枠９２の壁部９２ｃから遠い位置、つまりは、脱衣室から遠い位置にとどめることが可能となって、脱衣室側への漏水を確実に防止することが可能となる。この構成は、バリアフリーの観点から、図４に示される浴室床部８と脱衣室床面部７の高低差をより少なくすることが求められる市場のニーズに対して、高低差を少なくしながら止水性（脱衣室側への漏水の防止）を向上させるための有効なものとなる。例えば、浴槽が満水の時に人が浴槽に入った場合において、浴槽から溢れた水が浴室床部に一時的にたまる状況が想定されるが、このような場合においても、水Ｗが到達する位置を、下枠９２の壁部９２ｃ（図９（ａ））から遠い位置、つまりは、脱衣室から遠い位置にとどめることが可能となるのである。なお、上面部９２ｂには、脱衣室側よりも浴室側が低くなる緩やかな勾配がつけられており、洗い場（浴室床部８（図９（ａ））の水が引くに従って、水Ｗは自然と浴室側へと戻される（排水される）ようになっていることが好ましい。
【００５４】
一方、図９（ｃ）に示すごとく、脱衣室側の箇所１０Ｂに水が浸入した際には、板状部材６２ａが水Ｗの圧力によって跳ね上げられて、下端部６２ｂが上面部９２ｂから離れて隙間Ｓが形成され、この隙間Ｓを通って水Ｗが脱衣室側から浴室床側へ向かう方向Ｆ２に排水されるようになっている。
【００５５】
以上のようにして、図９（ｂ）（ｃ）に示すごとく、脱衣室側の空間１０Ｂに水Ｗが浸入した場合であっても、この空間１０Ｂにおける水Ｗの停留を防止することができ、水Ｗの停留に伴うカビの発生などを防止することが可能となる。また、例えば、浴室清掃時におけるシャワー散水等がされた場合に、下枠内の空間１０Ｂに水Ｗが入ることが想定されるが、仮に、この水Ｗを排水する機能が低い場合には、空間１０Ｂ内に水を溜めきれず、下枠９２の壁部９２ｃ（図９（ａ））を乗り越えて脱衣室側へ漏水してしまうことが想定されるが、本実施形態の構成であれば、水Ｗを確実に排水することができるため、このような状況（清掃などで水が意図的にかけられる状況）での脱衣室側への漏水をより確実に防止することが可能となる。
【００５６】
以上のことから判るように、図９（ｂ）（ｃ）に示す止水部の構成により、スロープ部材６の下方において、浴室側の空間１０Ａから脱衣室側の空間１０Ｂへの水Ｗを止水する止水性能の確保と、脱衣室側の空間１０Ｂから浴室側の空間１０Ａへの水Ｗの排水性能の確保、といった二つの性能を両立することができることになる。そして、これにより、図４に示される浴室床部８と脱衣室床面部７の高低差をより少なくすることが可能となって、より段差の小さいバリアフリーの性能に優れた浴室開口部（浴室出入り口）を実現することが可能となる。
【００５７】
また、図９（ａ）に示すごとく、スロープ部材６の下面側には、スロープ部材６を下枠９２の上面部９２ｂに支持させるための支持部６６が設けられる。この支持部６６は、スロープ部材６における奥行き方向（図９（ａ）の紙面左右方向）の中途部において、スロープ部材６を上面部９２ｂに対して支持させることで、スロープ部材６が踏みつけられた際において、スロープ部材６が撓んでしまうことを防止するためのものである。
【００５８】
また、図１０に示すごとく、本実施形態では、二本の長尺の棒状部材６７・６７を直列的に配置することで支持部６６が構成されることとしており、スロープ部材６の長手方向において広い範囲に棒状部材６７・６７が存在することで、スロープ部材６が広い範囲で支持される構成としている。なお、棒状部材６７を用いるほか、長さの短いブロック状の複数の支持部材を配置することで支持部６６を構成することとしてもよく、スロープ部材６の広い範囲が下枠に対して支持され得る構成とするものであれば、支持部を設ける目的が達成され得るものである。
【００５９】
また、図９（ａ）に示すごとく、本実施形態の支持部６６は、スロープ部材６の下面に設けられる溝部６８に嵌着される棒状部材６７にて構成される。この棒状部材６７は、弾性を有する樹脂成形品から構成され、スロープ部材６と下枠９２の上面部９２ｂの間に挟みこまれた状態とされる。このような棒状部材６７によって、スロープ部材６が踏みつけられた際においては、棒状部材６７が圧縮しつつ、反力を生じさせることとなって、スロープ部材６が撓むことが防がれる。また、棒状部材６７を樹脂成形品にて構成することで、棒状部材６７が下枠９２の上面部９２ｂに接触することがあっても、不快な金属音が生じることがない。
【００６０】
また、図９（ｂ）に示すごとく、支持部６６は、止水部６２よりも浴室側（脱衣室から遠い側）に配置されるとともに、支持部６６には、脱衣室側の空間から浴室側の空間の方向に水Ｗを流すための排水部６９が設けられる構成としている。この排水部６９は、図１０に示すごとく、スロープ部材６の長手方向において、二本の棒状部材６７・６７を間隔を開けて配置することで、棒状部材６７・６７の間に構成することができる。このほか、棒状部材６７の一部を切欠くことによって設けることも考えられる。
【００６１】
以上の構成により、本発明を実施することができる。
即ち、図１、図４及び図５に示すごとく、
浴室出入口用建具１の開口部枠４Ａを構成する少なくとも一つの縦枠９４・９５に対し、
前記開口部枠４Ａを構成する下枠９２の上方に配置されるスロープ部材６が着脱可能に固定される、浴室出入口用建具１のスロープ部材６の固定構造とするものである。
【００６２】
この構成により、下枠９２の上面部９２ｂを、フラットな面で構成することが可能となり、下枠９２の上面部９２ｂについての掃除の作業性に優れた構成を実現することが可能となる。なお、本明細書でいうところの「フラットな面で構成される下枠９２の上面部９２ｂ」とは、「スロープ部材６を固定するための凹凸部が上面部９２ｂに存在しない」ということを意味するものである。また、以上に述べた実施形態では、二つの縦枠９４・９５に対してスロープ部材６の両端部が固定される構成としたが、いずれか一方の縦枠９４・９５に対して固定する形態も考えられる。
【００６３】
また、図５に示すごとく、
前記スロープ部材６の長手方向の少なくとも一側の端部に、固定部材７４・７５を設け、
前記固定部材７４・７５が縦枠９４・９５側に対して固定可能／非固定可能に構成される、こととするものである。
【００６４】
この構成により、固定部材７４・７５の部位における固定／固定解除を行うことで、スロープ部材６の着脱を行うことが可能となる。
【００６５】
なお、上記実施形態で説明した構成とするほか、スロープ部材側の凸部と、縦枠側の凹部を設ける構成、或いは、その逆の構成によって、両凹凸部を固定可能／非固定可能に設ける構成であれば、スロープ部材の縦枠に対する着脱を実現可能な構成とすることができる。例えば、スロープ部材の両端部にピン状の部材（凸部）を設け、縦枠側にこのピン状の部材を挿脱可能とする穴部（凹部）を設ける形態も考えられる。また、凹部の形態については、穴形状とするほか、部材に絞り加工をして形成される絞り部分の形態とすることも考えられる。
【００６６】
また、図５及び図６（ａ）（ｂ）に示すごとく、
前記スロープ部材６に設けられる固定部材７４・７５は、前記スロープ部材６と別部材にて構成され、
前記縦枠９４・９５には、前記固定部材７４・７５と係合するための縦枠側固定部材８４・８５が設けられ
前記縦枠側固定部材８４・８５は、前記縦枠９４・９５と別部材にて構成される、
こととするものである。
【００６７】
この構成により、固定部材７４・７５や縦枠側固定部材８４・８５の設計の自由度や、これに伴う構造の簡易化を図ることができ、安価でかつ信頼性の高い構成を実現することができる。また、スロープ部材６や縦枠９４・９５については、従来の構成を利用することとして、追加的に固定部材７４・７５や縦枠側固定部材８４・８５の構成を適用するといった実施形態も可能となる。
【００６８】
また、図９（ａ）及び図１０に示すごとく、
前記スロープ部材６には、前記スロープ部材６と前記下枠９２との間の空間１０を浴室側と脱衣室側の二つの空間に区画するための止水部６２が設けられ、
前記止水部６２は、
浴室側の空間から脱衣室側の空間へ移動する水の流れを堰き止める一方で、
脱衣室側の空間から浴室側の空間へ移動する水の流れを許容する、
こととするものである。
【００６９】
この構成により、図９（ｂ）（ｃ）に示すごとく、スロープ部材６の下方において、浴室側の空間１０Ａから脱衣室側の空間１０Ｂへの水Ｗを止水する止水性能の確保と、脱衣室側の空間１０Ｂから浴室側の空間１０Ａへの水Ｗの排水性能の確保、といった二つの性能を両立することができることになる。そして、これにより、図４に示される浴室床部８と脱衣室床面部７の高低差をより少なくすることが可能となって、より段差の小さいバリアフリーの性能に優れた浴室開口部（浴室出入り口）を実現することが可能となる。
【００７０】
また、図９（ａ）及び図１０に示すごとく、
前記スロープ部材６には、前記スロープ部材６を前記下枠９２の前記上面部９２ｂに支持させるための支持部６６が設けられる、
こととするものである。
【００７１】
この構成により、スロープ部材６が踏みつけられた際において、スロープ部材６が撓んでしまうことを防止することができる。
【００７２】
また、図９（ａ）に示すごとく、
前記支持部６６は、弾性を有する樹脂成形品から構成される、
こととするものである。
【００７３】
この構成により、棒状部材６７が下枠９２の上面部９２ｂに接触することがあっても、不快な金属音が生じることがない。
【００７４】
また、本発明の浴室出入口用建具のスロープ部材６は、
前記浴室出入口用建具１の開口部枠４Ａを構成する下枠９２の上方に設けられるものであって、
前記開口部枠４Ａを構成する少なくとも一つの縦枠９４・９５に対して着脱可能とするための固定部材７４・７５を有する構成とするものである。
【００７５】
このスロープ部材６を用いることにより、下枠９２の上面部９２ｂを、フラットな面で構成することが可能となり、下枠９２の上面部９２ｂについての掃除の作業性に優れた構成を実現することが可能となる。以上に述べた実施形態では、二つの縦枠９４・９５に対してスロープ部材６の両端部が固定される構成としたが、いずれか一方の縦枠９４・９５に対して固定する形態も考えられる。
【００７６】
また、図５及び図６（ａ）（ｂ）に示すごとく、
前記スロープ部材６に設けられる固定部材７４・７５は、前記スロープ部材６と別部材にて構成される、
こととするものである。
【００７７】
この構成により、固定部材７４・７５の設計の自由度や、これに伴う構造の簡易化を図ることができ、安価でかつ信頼性の高い構成を実現することができる。また、スロープ部材６については、従来の構成を利用することとして、追加的に固定部材７４・７５の構成を適用するといった実施形態も可能となる。
【００７８】
また、図９（ａ）及び図１０に示すごとく、
前記スロープ部材６には、前記スロープ部材６と前記下枠９２との間の空間１０を浴室側と脱衣室側の二つの空間に区画するための止水部６２が設けられ、
前記止水部６２は、
浴室側の空間から脱衣室側の空間へ移動する水の流れを堰き止める一方で、
脱衣室側の空間から浴室側の空間へ移動する水の流れを許容する、
こととするものである。
【００７９】
この構成により、図９（ｂ）に示すごとく、空間１０に水Ｗが浸入した場合であっても、脱衣室側への水の浸入を防ぐことができ、また、脱衣室側における水Ｗの停留を防止することができ、水Ｗの停留に伴うカビの発生などを防止することが可能となる。
【００８０】
また、図９（ａ）及び図１０に示すごとく、
前記スロープ部材６には、前記スロープ部材６を前記下枠９２の前記上面部９２ｂに支持させるための支持部６６が設けられる、
こととするものである。
【００８１】
この構成により、スロープ部材６が踏みつけられた際において、スロープ部材６が撓んでしまうことを防止することができる。
【００８２】
また、図９（ａ）に示すごとく、
前記支持部６６は、弾性を有する樹脂成形品から構成される、
こととするものである。
【００８３】
この構成により、棒状部材６７が下枠９２の上面部９２ｂに接触することがあっても、不快な金属音が生じることがない。
【産業上の利用可能性】
【００８４】
本発明の構成は、浴室出入口用建具においてスロープ部材を設ける形態について幅広く適用可能である。また、戸体については、実施形態の説明で使用した片引戸の形態のものに限定されるものでなく、両引戸や、開き戸（扉）など、特に形態は限定されるものではない。
【符号の説明】
【００８５】
１    浴室出入口用建具
２    戸体
３    固定面材
４    開口部
４Ａ    開口部枠
５    吊具
６    スロープ部材
７    脱衣室床面部
８    浴室床部
１０    空間
６２    止水部
６６    支持部
６７    棒状部材
７４    固定部材
７５    固定部材
８４    縦枠側固定部材
８５    縦枠側固定部材
９０    建具枠
９１    上枠
９２    下枠
９２ｂ  上面部
９３    縦枠
９４    縦枠
９５    縦枠
【図１】
0005769400.tif 000002
【図２】
0005769400.tif 000003
【図３】
0005769400.tif 000004
【図４】
0005769400.tif 000005
【図５】
0005769400.tif 000006
【図６】
0005769400.tif 000007
【図７】
0005769400.tif 000008
【図８】
0005769400.tif 000009
【図９】
0005769400.tif 000010
【図１０】
0005769400.tif 000011